(57)【要約】  特に装置を改造することなく、冷媒を交換充填するたけで、より低消費電力化できる冷媒組成物と、その使用方法を提供するため、少なくとも、プロパンと、プロピレンとを含有する冷媒組成物とし、これを冷暖房装置あるいは冷凍冷蔵装置の内部において熱交換作用させる冷媒として用いる。
2014132406.tif 000002
【特許請求の範囲】
【請求項１】
少なくとも、プロパンと、
プロピレンと
を含有する冷媒組成物。
【請求項２】
前記プロパンと前記プロピレンの重量の合計に対する前記プロパンの重量比が３０〜７０％である。
請求項１に記載の冷媒組成物。
【請求項３】
少なくとも、プロパンと、プロピレンとを含有する冷媒組成物を、冷暖房装置あるいは冷凍冷蔵装置の内部において熱交換作用させる冷媒として用いる
冷媒組成物の使用方法。
【請求項４】
前記プロパンと前記プロピレンの重量の合計に対する前記プロパンの重量比が３０〜７０％である。
請求項３に記載の冷媒組成物の使用方法。
【発明の詳細な説明】
【技術分野】
【０００１】
本発明は、冷媒組成物及びその使用方法に関し、特に、車載用、家庭用あるいは業務用エアコンなどの冷暖房装置、冷凍庫あるいは冷蔵庫などの冷凍冷蔵機関などに使用される冷媒組成物と、その使用方法に関する。
【背景技術】
【０００２】
従来、エアコンなどの冷暖房装置、冷凍庫あるいは冷蔵庫などの冷凍冷蔵装置などに用いられる冷媒として、Ｒ−１２（ジクロロジフルオロメタン、ＣＣｌ2Ｆ2）を始めとするＣＦＣ（クロロフルオロカーボン）あるいはＨＣＦＣ（ハイドロクロロフルオロカーボン）などの特定フロンが広く用いられてきた。【０００３】
しかしながら、大気中に放散された特定フロンは紫外線などにより分解されて塩素ラジカルを発生させてオゾン層破壊の原因となることが明らかにされ、１９９６年、日本及び欧米においてＣＦＣの生産が全廃された。
さらに、ＨＣＦＣについても２００４年以降規制され、ヨーロッパでは２０１０年までに、その他の多くの国で２０２０年までに全廃される予定である。【０００４】
上記特定フロンに替わる代替フロンとして、ＨＦＣ（ハイドロフルオロカーボン）あるいはＰＦＣ（パーフルオロカーボン）が用いられるようになってきている。これらは、分子中に塩素を含まないのでオゾン層を破壊する虞れがないと考えられている。【０００５】
しかし、上記代替フロンは、地球温暖化係数が非常に高いなどの理由で、やはり大気に放散させないように取り扱いに注意が必要となっている。【０００６】
上記の状況に対応して、近年、特定フロン及び代替フロンに置き換えることができる冷媒組成物の研究開発が進められている。
例えば、冷媒組成物の種類により冷暖房装置や冷凍冷蔵装置を動作させたときの消費電力に差があり、より低消費電力化できる冷媒組成物が求められている。【０００７】
しかし、代替フロンは製造コストが高く、回収及び破壊にかかるコストが高く、これらは電力を消費して行われるため、代替フロンを使用することに付随して必要となる消費電力が高いという不利益があった。【０００８】
例えば、特許文献１などに、特定あるいは代替フロンに二酸化炭素を混合して冷媒組成物として用いる方法が開示されている。
また、特許文献２などに、炭化水素ガスを冷媒組成物として用いる方法が開示されている。
また、特許文献３などに、二酸化炭素とジメチルエーテルの混合ガスを冷媒組成物として用いる方法が開示されている。
上記のジメチルエーテルのＯＤＰ（オゾン破壊係数）は０である。また、ジメチルエーテルのＧＷＰ（地球温暖化係数）は０．２であり、これは二酸化炭素のＧＷＰの１／５、現在家庭用冷蔵庫の冷媒組成物の広く用いられているｉ−ブタンの１／１５である。
また、特許文献４には、ジメチルエーテルと脂肪族炭化水素とを含有する冷媒組成物が開示されている。
【先行技術文献】
【特許文献】
【０００９】
【特許文献１】特表平１０−５０２６９７号公報
【特許文献２】特開２００６−１４３８９８号公報
【特許文献３】特開２００６−２４１２２１号公報
【特許文献４】特開２００９−１９７１２８号公報
【発明の概要】
【発明が解決しようとする課題】
【００１０】
本発明の課題は、より低消費電力化できる冷媒組成物と、その使用方法を提供することである。
【課題を解決するための手段】
【００１１】
本発明者らは、上記課題を解決するために鋭意理論的かつ実験的検討を重ね、プロパンとプロピレン（プロペン）を混合した冷媒組成物が、冷暖房装置などにおけるローレンツサイクルに適用するのに適した非共沸混合冷媒であり、上記課題を解決し得ることを見出し、本発明を完成するに至った。【００１２】
即ち、本発明の冷媒組成物は、少なくとも、プロパンと、プロピレンとを含有する。【００１３】
本発明の冷媒組成物は、好適には、前記プロパンと前記プロピレンの重量の合計に対する前記プロパンの重量比が３０〜７０％である。【００１４】
本発明の冷媒組成物の使用方法は、少なくとも、プロパンと、プロピレンとを含有する冷媒組成物を、冷暖房装置あるいは冷凍冷蔵装置の内部において熱交換作用させる冷媒として用いる。【００１５】
本発明の冷媒組成物の使用方法は、好適には、前記プロパンと前記プロピレンの重量の合計に対する前記プロパンの重量比が３０〜７０％である。
【発明の効果】
【００１６】
本発明の冷媒組成物によれば、従来から使用されていた代替フロンを本発明の冷媒組成物に交換するだけの作業で、冷暖房装置や冷凍冷蔵装置を動作させたときに、従来よりも低消費電力化できる。【００１７】
また、本発明の冷媒組成物の使用方法によれば、冷暖房装置や冷凍冷蔵装置を動作させたときに、従来よりも低消費電力化して、動作させることができる。
【図面の簡単な説明】
【００１８】
【図１】図１は実施例に係る冷暖房装置に冷媒を充填する装置の模式構成図である。
【図２】図２は実施例に係る冷暖房装置の消費電力測定試験装置の模式構成図である。
【図３】図３は、比較例に係る冷暖房装置の吹き出し口平均温度ａ、実施例に係る冷暖房装置の吹き出し口平均温度ｂ、比較例に係る第１試験室の平均室温ｃ、実施例に係る第２試験室の平均室温ｄ、及び平均外気温ｅを比較したグラフである。
【図４】図４は、比較例と実施例に係る冷暖房装置の消費電力を比較したグラフであり、ａは比較例、ｂは実施例を示す。
【発明を実施するための形態】
【００１９】
以下に、本発明に係る冷媒組成物及びその使用方法の実施の形態について説明する。
【００２０】
［冷媒組成物］
本実施形態に係る冷媒組成物は、少なくとも、プロパンとプロピレンとを含有する。
【００２１】
例えば、本実施形態の冷媒組成物は、プロパンとプロピレンの重量の合計に対するプロパンの重量比が３０〜７０％であることが好ましい。
プロパン単体、あるいはプロピレン単体よりも、プロパンとプロピレンの混合物とした方が冷暖房装置などの動作時の消費電力の削減効果が大きく、また、プロパンとプロピレンの重量の合計に対するプロパンの重量比が３０％未満、あるいは７０％を超えると、上記の電力削減効果が薄れてくる。
例えば、プロパン５０％とプロピレン５０％の混合ガスを好ましく用いることができる。
【００２２】
また、例えば、本実施形態の冷媒組成物は、上記の他の冷媒成分として、アルゴンあるいは窒素などを適宜添加することが可能であり、また、ＨＦＣ系冷媒などを添加することも可能で、この場合には従来のＨＦＣ系冷媒の一部を本実施形態のプロパンとプロピレンを含有する冷媒組成物で置き換えることとなり、本実施形態の効果を享受できる。
【００２３】
上記の本実施形態のプロパンとプロピレンとを混合した冷媒組成物は非共沸混合冷媒である。
非共沸混合冷媒は、冷媒サイクルにおいて凝縮及び蒸発時に温度変化を伴う性質があり、逆ランキンサイクルよりも熱力学的に必要な動力の小さいローレンツサイクルで作動させることができる。
特に、プロパンとプロピレンとを混合した冷媒組成物は、ローレンツサイクルに適した冷媒組成物である。
【００２４】
また、冷媒としての効果を算出するために一般的に用いられている米国ＮＩＳＴの冷媒熱物性データベースＲＥＦＰＲＯＰ（プログラム名）の推算プログラムによるシミュレーションからも混合ガスが冷媒として用いた場合の効率が高いことを示す結果が得られている。
【００２５】
本実施形態の冷媒組成物には、一般に冷媒組成物に使用される添加剤であれば添加することができ、例えば、流動点安定化剤、粘度安定剤、銅金属奪活剤、極圧剤、耐荷重剤、摩耗防止剤、防錆剤、金属腐食防止剤、滑材、腐食抑制剤、気相防錆剤などである。
【００２６】
粘度安定剤としては、例えば、フタル酸ジ−２−エチルヘキシル等のフタル酸エステルの他、トリクレジルホスフェイト、ジ（Ｎ−ブチル）クレジルホスフェイト、ポリメタクリレート、ポリイソブチレン等のオレフィンポリマーまたはコポリマー、ポリアルキルスチレン等のスチレンコポリマー、アジピン酸ジイソデシルを挙げることができる。
【００２７】
また、銅腐食防止剤としては、例えば、ベンゾトリアゾールの他、２−メチルベンゾイミダゾール、２，６−ｔ−ブチル−ｐ−クレゾール、２，６−ｔ−ブチル−４−エチルフェノール、２（Ｎ−ドデシル−ジチオ）ベンズイミダゾール、Ｎ，Ｎ’−ジサリチリデン−１，２−アミノプロパン、イミダゾール、ベンゾイミダゾール、ピラゾール、３，５−ジメチルピラゾール、メチレンビスベンゾトリアゾール、ジチオリン酸亜鉛を挙げることができる。
【００２８】
また、極圧剤、耐荷重剤、摩耗防止剤、防錆剤としては、リン酸トリス（イソプロピルフェニル）、フェニルホスホン酸、フェニルホスホン酸ジメチルエステル、トリエチルホスファイト、ジエチルホスファイト、トリメチルホスファイト、トリブチルホスフェート、トリス（２−クロロエチル）ホスフェート、クレジルジフェニルホスフェート等のリン酸エステルの他、ジチオリン酸亜鉛、硫化テルペン、硫化オレフィン、硫化脂肪、ポリマアミン、ペニタエリスリットモノオレイン酸エステル、ソルビタンモノオレイン酸エステル、コハク酸及びその誘導体、オレイン酸牛脂アミド、カルシウムスルホネートを挙げることができる。
【００２９】
また、金属腐食防止剤、滑材、腐食抑制剤、気相防錆剤としては、例えば、ジシクロヘキシルアミンの他、ジエタノールアミン、トリエタノールアミン、ロジンアミン、β−アフチルアミン、ヘキサデシルアミン、ジカプリン酸、プロピレングリコール、ジシクロヘキシルアンモニウムナイトライト、トルイジン、ナットキノリン、チオ尿素、オレイン酸ソーダ、安息香酸ソーダ、Ｎ−オレインザルコシン、ソルビタンモノオレエト、ペンタエリトリットモノオレエトを挙げることができる。
【００３０】
また、例えば、合成油や鉱物油などの潤滑剤を添加してもよい。
【００３１】
上記の本実施形態の冷媒組成物は、従来用いられている冷媒組成物と比較して、冷暖房装置や冷凍冷蔵装置の内部において熱交換作用をさせたときに、より低消費電力化できる。
上記の本実施形態の冷媒組成物は、例えば、冷暖房装置及び−２５℃程度までの冷凍冷蔵装置に好ましく適用できる。冷媒としては、大気圧の２倍（０．２ＭＰａ）以上が安定に作動する領域であり、−２５℃は、プロパンの蒸気圧が０．２ＭＰａ以下となる温度であるからである。
【００３２】
［冷媒組成物の使用方法］
本実施形態の冷媒組成物の使用方法は、上述の本実施形態に係る冷媒組成物を、冷暖房装置あるいは冷凍冷蔵装置の内部において熱交換作用させる冷媒として用いる。
冷暖房装置あるいは冷凍冷蔵装置などの装置を改造することなく、代替フロンに代えて本実施形態の冷媒組成物を交換充填するだけで、低消費電力化を実現できる。
【００３３】
プロパンとプロピレンの重量の合計に対するプロパンの重量比が３０〜７０％であることが好ましい。
【００３４】
本実施形態の冷媒組成物の使用方法によれば、従来用いられている冷媒組成物と比較して、冷暖房装置や冷凍冷蔵装置の内部において熱交換作用をさせたときに、より低消費電力化して動作させることができる。
【００３５】
＜実施例＞
図１は、本実施例に係る冷暖房装置に冷媒を充填する装置の模式構成図である。
冷暖房装置室外機１０と冷暖房装置室内機１１が、熱交換された冷媒を送る配管１２及び配線などにより接続されており、冷暖房装置が構成されている。
冷暖房装置室内機１１に、電力計１３を介して家庭用電源コンセント１４などから電力が供給される。
【００３６】
冷暖房装置室外機１０の熱交換器に、高圧側ホース２０、マニホールド２１、低圧側ホース２２、及び真空ポンプ２３が接続されている。真空ポンプ２３を作動させ、マニホールド２１の高圧側バルブ２１ａ及び低圧側バルブ２１ｂを開けることで、冷暖房装置室外機１０の熱交換器内を真空引きし、熱交換器内に充填されていた冷媒を除去することができる。除去された冷媒は、真空ポンプ２３に接続された回収部などにより適宜回収することができる。あるいは、その他の手段により除去及び回収することも可能である。
【００３７】
また、マニホールド２１には、本発明の冷媒組成物が収容されている試料ボンベ３０が充填ホース３１を介して接続されている。真空引きした冷暖房装置室外機１０の熱交換器内に、試料ボンベ３０から冷媒を充填することができる。このとき、重量計３２により充填前後の試料ボンベ３０の重量を計測することで、冷暖房装置室外機１０の熱交換器内に充填した冷媒の重量を計測することができる。
【００３８】
試料ボンベ３０に収容された冷媒の種類を変更することで、冷暖房装置室外機１０の熱交換器内に充填する冷媒を変更できる。
また、熱電対などから構成される温度計４０により室内機の吹き出し口の温度あるいは室温などを測定することができる。
【００３９】
図２は実施例に係る冷暖房装置の消費電力測定試験装置の模式構成図である。
屋外に、同一形状である第１試験室１Ａと第２試験室１Ｂを隣接して設置した。第１試験室１Ａと第２試験室１Ｂの大きさは、それぞれ、床面積が６．９６ｍ２、高さが２．３ｍである。
市販の同一タイプの冷暖房装置（東芝キャリア社製）２台を準備し、第１試験室１Ａに第１室外機１０Ａ、第１室内機１１Ａ、配管１２Ａなどからなる冷暖房装置を設け、第２試験室１Ｂに第２室外機１０Ｂ、第２室内機１１Ｂ、配管１２Ｂなどからなる冷暖房装置を設けた。
【００４０】
第１試験室１Ａに設けた冷暖房装置には、熱交換部に用いる冷媒としてＨＦＣ系冷媒（Ｒ４１０Ａ）５６０ｇを充填し、比較例用の試験室とした。
第２試験室１Ｂに設けた冷暖房装置には、熱交換部に用いる冷媒としてプロパン１００ｇとプロピレン１００ｇの混合冷媒を充填し、実施例用の試験室とした。
【００４１】
第１試験室１Ａに設けた室内機１１Ａの吹き出し口近傍に２箇所、室内に３箇所の熱電対温度測定部（４１Ａ〜４５Ａ）を設置し、第２試験室１Ｂに設けた室内機１１Ｂの吹き出し口近傍に２箇所、室内に３箇所の熱電対温度測定部（４１Ｂ〜４５Ｂ）を設置し、さらに室外に１箇所の熱電対温度測定部４６を設置し、それぞれにおいて温度を測定して記録部５０で記録した。
【００４２】
試験実施日の夕方から深夜にかけて、設定温度を２５℃として、６時間暖房運転を行った。試験は気候条件の異なる４日間（２０１２年１１月２１日（Ｄ１）、２３日（Ｄ２）、２９日（Ｄ３）、１２月４日（Ｄ４））にかけて行った。
運転開始時の室温、外気温、運転終了時の室温、外気温、平均室温、平均外気温、吹き出し口平均温度を測定した結果を表１に示す。
また、電力計により計測した６時間あたりの消費電力量と、それを２４時間に換算した消費電力量を表１に示す。
表１においては、第１試験室１Ａの平均室温と第２試験室１Ｂの平均室温の差（平均室温差）と、第１試験室１Ａの室内機１１Ａの吹き出し口平均室温と第２試験室１Ｂの室内機１１Ｂの吹き出し口平均室温の差（吹き出し口平均温度差）も示す。
【００４３】
【表１】
2014132406.tif 000003
【００４４】
図３は、比較例に係る冷暖房装置の吹き出し口平均温度ａ、実施例に係る冷暖房装置の吹き出し口平均温度ｂ、比較例に係る第１試験室の平均室温ｃ、実施例に係る第２試験室の平均室温ｄ、及び平均外気温ｅを比較したグラフである。
各試験日において、比較例に係る冷暖房装置の吹き出し口温度ａと実施例に係る冷暖房装置の吹き出し口温度ｂは、いずれも３５℃近傍であり、吹き出し口平均温度差は２〜３℃であった。
また、各試験日において、比較例に係る第１試験室の平均室温ｃと実施例に係る第２試験室の平均室温ｄは、いずれも設定温度である２５℃の近傍の温度であり、いずれも、８〜１０℃程度の平均外気温ｅに対して十分暖房効果が得られていた。また、第１試験室１Ａと第２試験室１Ｂの平均室温差は２℃程度であり、本実施例に係る冷媒組成物が暖房実用上、十分な実用性能を有していることが確認できた。尚、冷房運転における実用性能も同様である。
【００４５】
図４は、比較例と実施例に係る冷暖房装置の消費電力を比較したグラフであり、ａは比較例、ｂは実施例を示す。
各試験日において、比較例に係る冷暖房装置の２４時間あたりに換算した消費電力量は約８〜９ｋＷｈであり、一方、実施例に係る冷暖房装置の２４時間あたりに換算した消費電力量は約５．５〜６．５ｋＷｈであり、実施例に係る冷暖房装置は比較例に対して約３０％消費電力量を削減できた。
【００４６】
本実施形態の冷媒組成物を用いることで、冷暖房装置の暖房運転時に従来よりも低消費電力化できた。
【００４７】
また、本実施形態の冷媒組成物及びその使用方法によれば、以下の利点を享受できる。
（１）本実施形態の冷媒組成物は、天然成分であり、容易に製造可能であるので、製造コスト及び製造エネルギーを削減でき、安価に大量に供給できる。
（２）冷媒組成物として適用する冷暖房装置や冷凍冷蔵機関などの機器を廃棄処分する場合でも冷媒組成物の取り扱いが容易であり、燃焼可能であるので廃棄に必要なコストやエネルギーを削減できる。
（３）冷暖房装置あるいは冷凍冷蔵装置に使用する際に、ＨＦＣ系冷媒組成物より少ない充填量で、即ち、圧力を下げて使用できる。冷暖房装置あるいは冷凍冷蔵装置の電力消費としては、コンプレッサの作動に使われる部分がほとんどであるため、冷媒の圧力を下げることによるコンプレッサの消費電力の削減に対して大きく寄与できる。本実施形態の冷媒組成物を用いることにより、分子量が小さいため、圧力を下げても、ＨＦＣ系冷媒組成物と同等の冷暖房あるいは冷蔵効果を得ることができる。
（４）冷媒組成物として適用する冷暖房装置や冷蔵機関などの機器の改良が不要であり、従って、導入に際しての従来の新冷媒組成物のような設計変更や機器の開発が不要であり、早期導入が可能であり、研究開発コストを削減できる。
（５）車載用、家庭用あるいは業務用エアコンなどの冷暖房装置、冷蔵庫など、様々な温度域の機器に冷媒組成物として適用可能である。
【００４８】
本発明は、上記の実施形態に限定されない。
例えば、プロパンとプロピレンの重量の合計に対するプロパンの重量比が３０〜７０％であることが好ましいが、消費電力削減の効果及び冷凍や冷暖房能力が維持可能であれば上記重量比の範囲外においても適用可能である。
冷暖房装置のほか、冷房装置、暖房装置、並びに冷凍冷蔵装置などへの適用も、上述した技術思想に基づいて、適宜変更することができる。
その他、本発明の要旨を逸脱しない範囲で、種々の変更が可能である。
【産業上の利用可能性】
【００４９】
本発明の冷媒組成物は、車載用、家庭用及び業務用のエアコンなどの冷暖房装置並びに冷凍冷蔵装置などに用いられる冷媒組成物に適用可能である。
本発明の冷媒組成物の使用方法は、車載用、家庭用及び業務用のエアコンなどの冷暖房装置並びに冷凍冷蔵装置などにおいて、冷媒組成物を用いる方法に適用できる。
【符号の説明】
【００５０】
１Ａ…第１試験室
１Ｂ…第２試験室
１０，１０Ａ，１０Ｂ…冷暖房装置室外機
１１，１１Ａ，１１Ｂ…冷暖房装置室内機
１２，１２Ａ，１２Ｂ…配管
１３…電力計
１４…家庭用電源コンセント
２０…高圧側ホース
２１…マニホールド
２１ａ…高圧側バルブ
２１ｂ…低圧側バルブ
２２…低圧側ホース
２３…真空ポンプ
３０…試料ボンベ
３１…充填ホース
３２…重量計
４０…温度計
４１Ａ〜４５Ａ，４１Ｂ〜４５Ｂ，４６…熱電対温度測定部
【図１】
2014132406.tif 000004
【図２】
2014132406.tif 000005
【図３】
2014132406.tif 000006
【図４】
2014132406.tif 000007
【国際調査報告】
2014132406.tif 000008
2014132406.tif 000009
2014132406.tif 000010
2014132406.tif 000011